(57)【特許請求の範囲】
【請求項１】
誘電材料製のハウジング（１）、中心コンタクト（２）及び外側コンタクト（３）を有し、前記ハウジング（１）に回転可能なスリーブ（４）を配置し、該スリーブ（４）は、ガス放電ランプ（１３）の外周に設けられた少なくとも１つの突起（１４）によって前記ガス放電ランプへの電気回路が遮断されない第１位置から前記電気回路が遮断される第２位置へ、及び前記第２位置から前記第１位置へ回転可能である、ガス放電ランプと接触するための接触構造組立体において、
前記スリーブ（４）は誘電材料製であると共に、前記第１位置で前記ガス放電ランプへの前記電気回路を遮断せず、前記第２位置で前記電気回路の２つの部分間に移動されることによって前記電気回路を遮断する舌片（５）と、前記ガス放電ランプの挿抜方向に沿って延びる、前記ガス放電ランプの前記突起（１４）が挿入され得る接近可能な切欠（６）とが設けられ、
該舌片（５）は、前記ガス放電ランプの前記突起（１４）の前記切欠（６）への挿入、並びに前記ガス放電ランプ及び前記スリーブ（４）の回転の結果として前記第２位置から前記第１位置へ移動され、前記ガス放電ランプの回転方向に沿って延びる前記ハウジング（１）のリンク（１８）により前記ガス放電ランプの前記突起（１４）が前記第１位置に固定されることを特徴とするガス放電ランプと接触するための接触構造組立体。
【請求項２】
前記舌片（５）には開口（８）が配置され、弾性金属タブ（２５）が前記電気回路の一部分を形成し、前記弾性金属タブ（２５）が前記舌片（５）の前記第１位置において前記開口（８）を貫通して接触部をなすことを特徴とする請求項１記載のガス放電ランプと接触するための接触構造組立体。
【請求項３】
前記スリーブ（４）が、ねじ込まれた際に前記ガス放電ランプを固定するように配置されていることを特徴とする請求項１又は２記載のガス放電ランプと接触するための接触構造組立体。
【発明の詳細な説明】
【技術分野】
本発明は、誘電材料製のハウジング、中心コンタクト及び外側コンタクトを有する、ガス放電ランプと接触するための接触構造組立体に関する。
【背景技術】
ガス放電ランプと接触するために、そのガス放電ランプはハウジングに挿入されると共に回転される。ガス放電ランプの基部上の２つの突起は、ハウジングのビードの背後に係合し、そのガス放電ランプを固定する。外側コンタクト及び中心コンタクトがガス放電ランプと接触するために要求される。これらランプを作動させるために高電圧が要求されるので、ガス放電ランプが挿入されていないときに、この電圧がコンタクト間に既に生じていないことが重要である。換言すれば、作業者がかかるランプ用のホルダに手が届かず、傷つきえないということが保証されることが重要である。
国際公開第８７／０４８６７号明細書において、バイヨネット型電球を受容するための安全ランプホルダが公知となっている。このランプホルダ構造において、回転可能なスリーブが電気回路を遮断するためのスイッチ部品と結合して使用される。コンタクトを伴ったコンタクト支持体は、電球のバイヨネットピンのためのスロットを画定する本体内に装着される。コンタクト支持体は、本体に対して第１位置から第２位置へ移動可能である。端子ピンへの接触は、１つの位置でなされ、他の位置では端子ピンへの接触はなされない。
英国特許出願公開第１４８１１１０号明細書は、電気ランプホルダ用の安全装置が開示されている。ランプは、ランプホルダ内へねじ込まれ、挿入されることによりランプコンタクトの端子への接触を遮断するプラスチック部品を移動させる。この構造は、高電圧に使用されてもよい。
本発明の目的は、ガス放電ランプがない場合であっても操作が安全であると共に１０００Ｖの電圧に耐えるガス放電ランプと接触するための接触構造組立体を明記することにある。
【発明の開示】
この目的は、特許請求の範囲の請求項１の特徴を有する組立体によって達成される。有利な改良点が従属の請求項において明記される。
一体化されたスイッチを有する、ガス放電ランプと接触するための接触構造組立体が明記される。
ガス放電ランプのための使用は、特に有効である。スイッチは、ガス放電ランプが挿入されたときのみ高電圧がハウジングのコンタクト間に生じることを保証する。これは、ガス放電ランプの基部の外周上の少なくとも１つの突起によって回転される回転可能なスリーブをハウジングに設けることによって達成される。この回転可能なスリーブに、電気回路を遮断させるかあるいは再度閉成させる舌片を設けることも可能である。
回転可能なスリーブを有するかかる構造は、ガス放電ランプがハウジング内に単に挿入されることよりもむしろ、ガス放電ランプがハウジング内にねじ込まれて固定されることを付加的に監視する。
この構造に設けられたスイッチにとって１０００Ｖの電圧に耐えることが特に重要である。これは、回転可能なスリーブに固定されると共に誘電材料で製造された舌片が電気回路の２つの部分間に移動されるという事実によって達成されうる。ばね及びコンタクト間への舌片の移動を促進するために電気回路の部分が弾力的なデザインであることが特に有利な点である。
【発明を実施するための形態】
本発明の実施形態を図面を参照して説明する。
図１は、ガス放電ランプ１３の基部の部分断面図であり、ガス放電ランプ１３は外周に設けられた突起１４と中心コンタクト１２とを有している。
図２乃至図１０は、回転可能なスリーブを有する本発明の第１実施形態を示している。図２は、ハウジング１の平面を示す。ハウジング１は、実質的に、ハウジング基部を有する円筒部分と、この円筒部分から半径方向又は軸方向に突出すると共にハウジング１へのケーブル２１が導入される部分とから構成されている。ケーブル２１が導入される方法は、図５において特に容易に理解され得る。図５において、ケーブル２１が破線で示されている。又、ハウジング１、及びハウジング１に下方から、即ちガス放電ランプ１３から離れた側から取付けられるカバー１５が容易に理解されよう。図２において、ガス放電ランプ１３の突起１４が挿入され得る４つの開口１６を明瞭に見ることができる。更に、中心コンタクト２及び外側コンタクト３を見ることができる。外側コンタクト３は、２つの弾性舌片からなっている。ハウジング１がカバー１５を有し、ハウジング１とカバー１５との間にケーブル２１の導入のための貫通開口１７が設けられていることが図３から明白である。更に、中心コンタクト２及び外側コンタクト３を図３において見ることができる。又、ガス放電ランプ１３の突起１４が案内されるリンク１８も見ることができる。更に、中心コンタクト２を保護すると共にガス放電ランプ１３を信頼性高く保持するためにガス放電ランプ１３とハウジング１との間に挿入されるシール１９を見ることができる。舌片５を設けた回転可能なスリーブ４が図４において最初に理解されうる。加えて、外側コンタクト３から延びる接触ストリップ２４を明瞭に見ることができる。接触ストリップ２４は、図２において破線を伴って示されると共に図３においても見ることができる。図５は、舌片５を有する回転可能なスリーブ４を特に明瞭に示している。ガス放電ランプ１３の突起１４が挿入され得る切欠６を容易に見ることができる。又、ケーブル２１がハウジング１に導入される方法は、図５において理解されよう。内側導体２０は、中心コンタクト２に接続される。又、２つの接触領域２２及び２３が存在し、１つは外側導体のためのものであり、１つはケーブル２１の中心導体のためのものである。図６及び図７の断面図は、ハウジング全体の構造を再度明瞭に示している。
図８乃至図１０は、例示的なスイッチ機能を伴った構造の動作方法を概略的に示す。図８は、切欠６及び舌片５の開口８を有するスリーブ４を示している。ここで、スリーブ４は円筒形状でなければならないことはなく、むしろ例えばスリーブ等の回転可能な部分が完全に十分であればよいことが明瞭に理解されよう。弾性金属タブ２５は、ケーブル２１の一部分と接触するために示されている。ガス放電ランプ１３が挿入されなければ、弾性金属タブ２５は回転可能なスリーブ４の舌片５における凹部２６に位置する。ガス放電ランプ１３が挿入され回転可能なスリーブ４が回転すると、弾性金属タブ２５は舌片５の開口８に到達し、ケーブル２１と接続する。
【図面の簡単な説明】
【図１】ガス放電ランプの基部の部分断面図である。
【図２】本発明の組立体の平面図である。
【図３】図２のＤ−Ｄ線に沿った断面図である。
【図４】カバーを取り外した状態の本発明の組立体の底面図である。
【図５】図２のＣ−Ｃ線に沿った断面図である。
【図６】図２のＡ−Ａ線に沿った断面図である。
【図７】図２のＢ−Ｂ線に沿った断面図である。
【図８】スリーブの概略図である。
【図９】開いたスイッチの概略図である。
【図１０】閉じたスイッチの概略図である。
【図１】
0003857727.tif 000002
【図９】
0003857727.tif 000003
【図１０】
0003857727.tif 000004
【図２】
0003857727.tif 000005
【図３】
0003857727.tif 000006
【図４】
0003857727.tif 000007
【図５】
0003857727.tif 000008
【図６】
0003857727.tif 000009
【図７】
0003857727.tif 000010
【図８】
0003857727.tif 000011